(57)【特許請求の範囲】
【請求項１】
撮像手段が撮像した画像を取り込む画像取込手段と、
取り込まれた前記画像に含まれるコードシンボルを検出し、当該コードシンボルに対応したコード情報を読み取るコード読取手段と、
前記コード情報に関連した関連情報を取得する取得手段と、
前記コード情報を読み取った際の画像に、当該画像から検出された前記コードシンボルを示すシンボル表示を重畳した画像と、当該画像の周囲に、直近に取得した前記関連情報及び当該関連情報を集計した情報の少なくとも一方と、取得した前記関連情報の履歴とを配置した表示画面を、顧客に向けて設けられる１つの表示装置に出力する表示出力手段と、
を備えることを特徴とするコード読取装置。
【請求項２】
前記表示画面は、直近に取得した前記関連情報及び当該関連情報を集計した情報の少なくとも一方を、前記コード情報を読み取った際の画像の上又は下に配置すること、
を特徴とする請求項１に記載のコード読取装置。
【請求項３】
前記表示画面は、取得した前記関連情報の履歴を、前記コード情報を読み取った際の画像の左又は右に配置すること、
を特徴とする請求項１又は２に記載のコード読取装置。
【請求項４】
コード読取装置のコンピュータを、
撮像手段が撮像した画像を取り込む画像取込手段と、
取り込まれた前記画像に含まれるコードシンボルを検出し、当該コードシンボルに対応したコード情報を読み取るコード読取手段と、
前記コード情報に関連した関連情報を取得する取得手段と、
前記コード情報を読み取った際の画像に、当該画像から検出された前記コードシンボルを示すシンボル表示を重畳した画像と、当該画像の周囲に、直近に取得した前記関連情報及び当該関連情報を集計した情報の少なくとも一方と、取得した前記関連情報の履歴とを配置した表示画面を、顧客に向けて設けられる１つの表示装置に出力する表示出力手段と、
して機能させることを特徴とするプログラム。
【発明の詳細な説明】
【技術分野】
【０００１】
本発明の実施形態は、コード読取装置及びプログラムに関する。
【背景技術】
【０００２】
従来、スーパーマーケット等では、商品に添付されたバーコードや二次元コード（例えばＱＲコード（登録商標））等のコードシンボルをＣＣＤイメージセンサ等のデジタルカメラによって撮像し、その撮像した画像から検出したコードシンボルを検出して復号することで商品コードを読み取る商品コード読取装置が用いられている。店員は、顧客がカウンタ台に持ち込んだ買物カゴの中の収められている商品を取り出して商品コード読取装置のデジタルカメラにかざすことで、顧客が購入する商品を登録する。
【発明の概要】
【発明が解決しようとする課題】
【０００３】
しかしながら、上述した従来の商品コード読取装置では、買物カゴの中の収められている商品を取り出して商品コード読取装置のデジタルカメラにかざす際に、顧客側からその商品が見えづらくなることがある。このため、商品コードを読み取って登録が行われる際の商品を顧客が容易に確認できない場合があった。
【課題を解決するための手段】
【０００４】
上述した課題を解決するために、本発明の実施形態は、画像取込手段と、コード読取手段と、取得手段と、表示出力手段と、を備えることを特徴とするコード読取装置である。また、本発明の実施形態は、コード読取装置のコンピュータを、画像取込手段と、コード読取手段と、取得手段と、表示出力手段と、して機能させることを特徴とするプログラムである。
【０００５】
画像取込手段は、撮像手段が撮像した画像を取り込む。コード読取手段は、取り込まれた画像に含まれるコードシンボルを検出し、そのコードシンボルに対応したコード情報を読み取る。取得手段は、コード情報に関連した関連情報を取得する。表示出力手段は、コード情報を読み取った際の画像に、その画像から検出されたコードシンボルを示すシンボル表示を重畳した画像と、その画像の周囲に、直近に取得した関連情報及び関連情報を集計した情報の少なくとも一方と、取得した関連情報の履歴とを配置した表示画面を、顧客に向けて設けられる１つの表示装置に出力する。
【図面の簡単な説明】
【０００６】
【図１】図１は、チェックアウトシステムを示す斜視図である。
【図２】図２は、ＰＯＳ端末及び商品コード読取装置のハードウェア構成を示すブロック図である。
【図３】図３は、ＣＰＵの機能構成を示すブロック図である。
【図４】図４は、本実施形態にかかる商品コード読取装置の動作の一例を示すフローチャートである。
【図５】図５は、読取窓における読取領域の例を示す概念図である。
【図６】図６は、顧客用表示デバイスによる表示例を示す概念図である。
【図７】図７は、変形例にかかる表示例を示す概念図である。
【図８】図８は、変形例にかかる表示例を示す概念図である。
【発明を実施するための形態】
【０００７】
以下では、チェックアウトシステムを例に本実施形態にかかるコード読取装置及びプログラムを図面を参照して説明する。チェックアウトシステムは、一取引にかかる商品の登録、精算を行うＰＯＳ端末などある。本実施形態は、飲食店やスーパーマーケット等の店舗に導入されたチェックアウトシステムへの適用例である。
【０００８】
図１は、チェックアウトシステム１を示す斜視図である。図１に示すように、チェックアウトシステム１は、一取引にかかる商品の登録、精算を行うＰＯＳ端末１１を備える。ＰＯＳ端末１１は、チェックアウト台５１上のドロワ２１上面に載置されている。ドロワ２１は、ＰＯＳ端末１１によって開放動作の制御を受ける。ＰＯＳ端末１１の上面には、オペレータ（ユーザ）によって押下操作されるキーボード２２が配置されている。キーボード２２を操作するオペレータから見てキーボード２２よりも奥側には、オペレータに向けて情報を表示する表示デバイス２３が設けられている。表示デバイス２３は、その表示面２３ａに情報を表示する。表示面２３ａには、タッチパネル２６が積層されている。表示デバイス２３よりもさらに奥側には、顧客用表示デバイス２４が回転自在に立設されている。顧客用表示デバイス２４は、その表示面２４ａに情報を表示する。なお、図１に示す顧客用表示デバイス２４は、表示面２４ａを図１中手前側に向けているが、表示面２４ａが図１中奥側に向くように顧客用表示デバイス２４を回転させることによって、顧客用表示デバイス２４は顧客に向けて情報を表示する。
【０００９】
ＰＯＳ端末１１が載置されているチェックアウト台５１とＬ字を形成するようにして、横長テーブル状のカウンタ台１５１が配置されている。カウンタ台１５１の上面には、荷受面１５２が形成されている。荷受面１５２には、バーコードＢＣが付された商品Ａを収納する買物カゴ１５３が載置される。買物カゴ１５３は、顧客によって持ち込まれる第１の買物カゴ１５３ａと、第１の買物カゴ１５３ａから商品コード読取装置１０１を挟んだ位置に位置付けられる第２の買物カゴ１５３ｂとに分けて考えることができる。
【００１０】
カウンタ台１５１の荷受面１５２には、ＰＯＳ端末１１とデータ送受信自在に接続された商品コード読取装置１０１が設置されている。商品コード読取装置１０１は、薄型矩形形状のハウジング１０２を備える。ハウジング１０２の正面には読取窓１０３が配置されている。ハウジング１０２の上部には、表示・操作部１０４が取り付けられている。表示・操作部１０４には、タッチパネル１０５が表面に積層された表示デバイス１０６が設けられている。表示デバイス１０６の右隣にはキーボード１０７が配設されている。キーボード１０７の右隣には、図示しないカードリーダのカード読取溝１０８が設けられている。オペレータから見て表示・操作部１０４の裏面左奥側には、顧客に向けて設けられる表示装置であり、顧客に対して情報を表示するための顧客用表示デバイス１０９が設置されている。顧客用表示デバイス１０９の表示面には、顧客用タッチパネル１０９ａが積層されている。
【００１１】
顧客によって持ち込まれた第１の買物カゴ１５３ａには、一取引にかかる商品Ａが収納されている。商品Ａには、その商品Ａに関する商品コード（コード情報）が符号化されたバーコードＢＣが貼付されている。商品Ａは、オペレータの手によって第２の買物カゴ１５３ｂへと移動される。この移動過程で、バーコードＢＣが商品コード読取装置１０１の読取窓１０３に向けられる。この際、読取窓１０３の奥側に配置された撮像部１６４（図２参照）はバーコードＢＣを撮像する。商品コード読取装置１０１では、撮像部１６４により撮像された画像に含まれる商品Ａごとに、バーコードＢＣを検出してデコード（復号）することで、各商品Ａに対応した商品コードを読み取る。次いで、商品コード読取装置１０１は、読み取った商品コードをＰＯＳ端末１１へ出力する。
【００１２】
バーコードＢＣとして記述された商品コードは、商品Ａを特定するために商品ごとに割り当てられたコードであり、一例として１３桁の数字であるＪＡＮコードである。なお、本実施形態ではコードシンボルとしてバーコードＢＣを例に説明するが、コードシンボルはＱＲコード（登録商標）等の二次元コードであってもよいことは言うまでもない。
【００１３】
図２は、ＰＯＳ端末１１及び商品コード読取装置１０１のハードウェア構成を示すブロック図である。ＰＯＳ端末１１は、情報処理を実行する情報処理部としてのマイクロコンピュータ６０を備える。マイクロコンピュータ６０は、各種演算処理を実行し各部を制御するＣＰＵ６１（Central  Processing  Unit）に、ＲＯＭ６２（Read  Only  Memory）とＲＡＭ６３（Random  Access  Memory）とがバス接続されて構成されている。
【００１４】
ＰＯＳ端末１１のＣＰＵ６１には、前述したドロワ２１、キーボード２２、表示デバイス２３、タッチパネル２６、顧客用表示デバイス２４がいずれも各種の入出力回路（いずれも図示せず）を介して接続されている。これらは、ＣＰＵ６１による制御を受ける。
【００１５】
キーボード２２は、「１」、「２」、「３」…等の数字や「×」という乗算の演算子が上面に表示されているテンキー２２ｄ、仮締めキー２２ｅ、及び締めキー２２ｆを含む。キーボード２２は、テンキー２２ｄ、仮締めキー２２ｅ、及び締めキー２２ｆによるオペレータの操作入力をＣＰＵ６１へ出力する。キーボード２２は、オペレータからの操作を受け付ける操作手段である。
【００１６】
ＰＯＳ端末１１のＣＰＵ６１には、ＨＤＤ６４（Hard  Disk  Drive）が接続されている。ＨＤＤ６４には、プログラムや各種ファイルが記憶されている。ＨＤＤ６４に記憶されているプログラムや各種ファイルは、ＰＯＳ端末１１の起動時に、その全部又は一部がＲＡＭ６３にコピーされてＣＰＵ６１により順次実行される。ＨＤＤ６４に記憶されているプログラムの一例は、商品販売データ処理用のプログラムＰＲである。ＨＤＤ６４に記憶されているファイルの一例は、ストアコンピュータＳＣから配信されて格納されているＰＬＵファイルＦ１である。ＰＬＵファイルＦ１は、商品ごとにユニークに割り当てられた商品コードごとに、その商品の名称、単価、商品分類などの商品に関する情報を格納するファイルである。すなわち、ＰＬＵファイルＦ１は、商品コードに関連した関連情報として、その商品コードに対応した商品の名称、単価、商品分類などの情報を記憶している。
【００１７】
ＰＯＳ端末１１のＣＰＵ６１には、ストアコンピュータＳＣとデータ通信を実行するための通信インターフェース２５が入出力回路（図示せず）を介して接続されている。ストアコンピュータＳＣは、店舗のバックヤード等に設置されている。ストアコンピュータＳＣのＨＤＤ（図示せず）には、ＰＯＳ端末１１に配信されるＰＬＵファイルＦ１が格納されている。
【００１８】
さらに、ＰＯＳ端末１１のＣＰＵ６１には、商品コード読取装置１０１との間でデータ送受信を可能にする接続インターフェース６５が接続されている。したがって、接続インターフェース６５は、商品コード読取装置１０１に接続している。また、ＰＯＳ端末１１のＣＰＵ６１には、レシートなどに印字を行うプリンタ６６が接続されている。ＰＯＳ端末１１は、ＣＰＵ６１の制御のもと、一取引の取引内容等をレシートに印字する。
【００１９】
商品コード読取装置１０１も、マイクロコンピュータ１６０を備える。マイクロコンピュータ１６０は、ＣＰＵ１６１にＲＯＭ１６２とＲＡＭ１６３とがバス接続されて構成されている。ＲＯＭ１６２には、ＣＰＵ１６１によって実行されるプログラムが記憶されている。ＣＰＵ１６１には、撮像部１６４、音声出力部１６５が各種の入出力回路（いずれも図示せず）を介して接続されている。撮像部１６４、音声出力部１６５は、ＣＰＵ１６１によって動作が制御される。表示・操作部１０４は接続インターフェース１７６を介してＰＯＳ端末１１に接続されている。表示・操作部１０４はＰＯＳ端末１１のＣＰＵ６１によって動作が制御される。
【００２０】
撮像部１６４は、ＣＣＤイメージセンサやＣＯＭＳイメージセンサなどであり、ＣＰＵ１６１の制御の下で読取窓１０３からの撮像を行う。例えば撮像部１６４では３０ｆｐｓの動画像の撮像を行う。撮像部１６４が所定のフレームレートで順次撮像したフレーム画像はＲＡＭ１６３に保存される。音声出力部１６５は、予め設定された警告音などを発生するための音声回路とスピーカなどである。音声出力部１６５は、ＣＰＵ１６１の制御の下で警告音などの音声による報知を行う。
【００２１】
さらに、ＣＰＵ１６１には、ＰＯＳ端末１１の接続インターフェース６５に接続して、ＰＯＳ端末１１との間でデータ送受信を可能にする接続インターフェース１７５が接続されている。ＣＰＵ１６１の制御の下、商品コード読取装置１０１の撮像部１６４によって撮像された画像から読み取られた商品コードは、接続インターフェース１７５を介して出力され、接続インターフェース６５を介してＰＯＳ端末１１に入力される。
【００２２】
次に、ＣＰＵ１６１がプログラムを順次実行することで実現される商品コード読取装置１０１の機能部について、図３を参照して説明する。図３は、ＣＰＵ１６１の機能構成を示すブロック図である。図３に示すように、ＣＰＵ１６１は、プログラムを順次実行することにより、撮像画像取込部１６１１、バーコード読取部１６１２、情報出力部１６１３、表示部１６１４としての機能を備える。
【００２３】
撮像画像取込部１６１１は、撮像部１６４に撮像オン信号を出力して撮像部１６４に撮像動作を開始させる。撮像画像取込部１６１１は、撮像動作開始後に撮像部１６４が撮像してＲＡＭ１６３に保存されたフレーム画像を順次取り込む。撮像画像取込部１６１１によるフレーム画像の取り込みは、ＲＡＭ１６３に保存された順に行われる。
【００２４】
バーコード読取部１６１２は、撮像画像取込部１６１１により取り込まれたフレーム画像に含まれるバーコードＢＣを検出し、そのバーコードＢＣに対応した商品コードを読み取る。具体的には、バーコード読取部１６１２は、フレーム画像からパターンマッチング技術によるバーコードＢＣの検出や、所定のファインダパターンから二次元コードの検出などを行う。次いで、バーコード読取部１６１２は、検出したバーコードＢＣや二次元コードを所定の規則に従ったコード情報（例えばＪＡＮコード）に変換することで、検出したバーコードＢＣに対応した商品コードを読み取る。これにより、商品コード読取装置１０１は、前述した商品Ａの移動過程において撮像部１６４により撮像した画像から、その商品Ａに添付されたバーコードＢＣを読み取ることが可能となる。
【００２５】
情報出力部１６１３は、バーコード読取部１６１２が読み取った商品コードなどのコード情報を接続インターフェース１７５を介してＰＯＳ端末１１へ出力する。例えばフレーム画像から商品Ａに添付されたバーコードＢＣが検出され、そのバーコードＢＣに対応した商品コードが読み取られた場合は、その商品コードがＰＯＳ端末１１へ出力される。これにより、ＰＯＳ端末１１では、出力された商品コードをもとにＰＬＵファイルＦ１を参照することで、商品コード読取装置１０１により読み取られた商品Ａを識別して、その商品Ａの売上などを登録することが可能となる。
【００２６】
また、情報出力部１６１３は、ＰＯＳ端末１１が商品コードをもとにＰＬＵファイルＦ１を参照して取得した商品の名称、単価、商品分類などの出力を、接続インターフェース１７６を介して受け付ける。すなわち、情報出力部１６１３は、バーコード読取部１６１２が読み取った商品コードをＰＯＳ端末１１へ出力した際に、その商品コードに対応した商品の名称、単価、商品分類などの関連情報をＰＯＳ端末１１より取得する。
【００２７】
表示部１６１４は、表示デバイス１０６、顧客用表示デバイス１０９への表示出力を行う。具体的には、表示部１６１４は、表示デバイス１０６、顧客用表示デバイス１０９へ表示を行うための表示データを生成し、接続インターフェース１７５を介してＣＰＵ６１へ出力する。ＣＰＵ６１は、表示部１６１４からの表示データをもとに、表示デバイス１０６、顧客用表示デバイス１０９の表示を制御する。これにより、例えば表示・操作部１０４の顧客用表示デバイス１０９では、顧客に向けた表示が行われることとなる。
【００２８】
次に、商品コード読取装置１０１の動作について詳細に説明する。図４は、本実施形態にかかる商品コード読取装置１０１の動作の一例を示すフローチャートである。
【００２９】
図４に示すように、ＰＯＳ端末１１による商品登録の開始などに応じて処理が開始されると、撮像画像取込部１６１１は、撮像部１６４に撮像オン信号を出力して撮像部１６４による撮像を開始する（Ｓ１）。次いで、撮像画像取込部１６１１は、撮像部１６４が撮像してＲＡＭ１６３に保存されたフレーム画像（撮像画像）を取り込む（Ｓ２）。次いで、バーコード読取部１６１２は、撮像画像取込部１６１１により取り込まれたフレーム画像に含まれるバーコードＢＣを検出し（Ｓ３）、検出したバーコードＢＣの読み取り、すなわちバーコードＢＣに対応した商品コードを読み取る（Ｓ４）。
【００３０】
図５は、読取窓１０３における読取領域Ｒの例を示す概念図である。図５に示すように、前述した商品Ａの移動過程において読取領域Ｒに商品Ａが映り込んだ場合、Ｓ４では、商品Ａに添付されたバーコードＢＣに対応した商品コードが読み取られることとなる。
【００３１】
次いで、情報出力部１６１３は、バーコード読取部１６１２が読み取った商品コードを接続インターフェース１７５を介してＰＯＳ端末１１へ出力し（Ｓ５）、ＰＯＳ端末１１からその商品コードに対応した商品の名称、単価、商品分類などの関連情報を取得する（Ｓ６）。
【００３２】
次いで、表示部１６１４は、バーコード読取部１６１２が商品コードを読み取った際のフレーム画像と、情報出力部１６１３がＰＯＳ端末１１から取得した、商品コードに対応した商品の名称、単価、商品分類などの関連情報とを顧客用表示デバイス１０９より顧客に向けて表示する（Ｓ７）。具体的には、表示部１６１４は、バーコード読取部１６１２が商品コードを読み取った際のフレーム画像をＲＡＭ１６３より読みだして顧客用表示デバイス１０９の表示画面上の所定の領域に表示するとともに、ＰＯＳ端末１１から取得した関連情報を顧客用表示デバイス１０９の表示画面上の別の領域に表示するための表示データを生成して、接続インターフェース１７５を介してＣＰＵ６１へ出力する。これにより、顧客用表示デバイス１０９には、バーコード読取部１６１２が商品コードを読み取った際のフレーム画像と、その商品コードに対応した商品の名称、単価、商品分類などの関連情報とが表示される。
【００３３】
次いで、ＣＰＵ１６１は、ＰＯＳ端末１１から商品登録の終了通知などによる業務終了の有無を判定する（Ｓ８）。業務を継続する場合（Ｓ８：ＮＯ）、ＣＰＵ１６１は、Ｓ２へ処理を戻して処理を継続させる。業務を終了する場合（Ｓ８：ＹＥＳ）、撮像画像取込部１６１１は、撮像部１６４に撮像オフ信号を出力して撮像部１６４による撮像を終了し（Ｓ９）、処理を終了する。
【００３４】
図６は、顧客用表示デバイス１０９による表示例を示す概念図である。図６に示すように、顧客用表示デバイス１０９の表示画面は、表示領域Ｇ１、表示領域Ｇ２、表示領域Ｇ３を含む構成である。表示領域Ｇ１には、バーコード読取部１６１２が商品コードを読み取った際のフレーム画像が表示される。表示領域Ｇ２には、商品コードに対応した商品の名称、単価などの関連情報や、商品コードの読み取りによって既に登録された商品の単価などを合計した合計金額などが表示される。表示領域Ｇ３には、バーコード読取部１６１２が商品コードを読み取った商品の履歴、すなわち取引の登録が行われた購入商品の履歴が表示される。例えば、今回読み取りが行われて表示領域Ｇ２に表示されている商品の商品名「ＸＸＸＸ」とその購入数の他に、以前読み取りが行われた商品の商品名「ＹＹＹＹ」とその購入数などが表示される。この表示領域Ｇ３における購入商品の履歴の表示は、表示領域Ｇ２に表示した関連情報をＲＡＭ１６３などにスタックし、そのスタックした情報を読み出すことで表示部１６１４が行ってもよいし、ＲＡＭ６３にスタックしている購入商品にかかる情報をもとにＰＯＳ端末１１のＣＰＵ６１が行ってもよい。
【００３５】
前述した移動過程において、読取窓１０３で読み取られる際の商品Ａは、ハウジング１０２により顧客側からは見えづらくなる。しかしながら、商品コード読取装置１０１では、バーコード読取部１６１２が商品コードを読み取った際のフレーム画像を顧客用表示デバイス１０９の表示領域Ｇ１より顧客に向けて表示するため、登録が行われる際の商品Ａを顧客が容易に確認できる。また、商品コード読取装置１０１では、バーコード読取部１６１２が読み取った商品コードに対応した商品の名称、単価、商品分類などの関連情報も顧客用表示デバイス１０９の表示領域Ｇ２より顧客に向けて表示するため、登録が行われる際の商品Ａの詳細を顧客が容易に確認できる。
【００３６】
また、図６に示すように、表示領域Ｇ１には、バーコード読取部１６１２が商品コードを読み取った際のフレーム画像に、その商品コードを読み取った際に検出されたバーコードを示すシンボル表示Ｇ１１が重畳して表示される。具体的には、バーコード読取部１６１２がフレーム画像から検出したバーコードの位置情報（フレーム画像における座標など）をもとに、表示部１６１４がフレーム画像にシンボル表示Ｇ１１を重畳した表示データを生成することで、上述した重畳表示が実施される。なお、シンボル表示Ｇ１１は、図６で例示したバーコードを囲む枠線表示以外に、バーコードの位置に対応して表示されるアイコン画像などであってもよい。このようにシンボル表示Ｇ１１がフレーム画像に重畳して表示されるため、商品コードを読み取ったバーコードを顧客は容易に確認できる。
【００３７】
なお、本実施形態では、顧客が購入する商品の登録時において、バーコード読取部１６１２が商品コードを読み取った際のフレーム画像を顧客に向けて表示する構成を例示した。しかしながら、読み取るコード情報は、商品コードだけでなく、精算時において顧客が提示したＤＭ（ダイレクトメール）やサービス券などに記載された顧客を識別するための顧客コードやサービス内容を識別するためのサービスコードなどであってもよいことは言うまでもない。この場合は、顧客コードやサービスコードを読み取った際の画像、すなわちＤＭやサービス券を撮像した画像が顧客用表示デバイス１０９より顧客に向けて表示されることとなり、読み取りが行われたＤＭ、サービス券を顧客が容易に確認できる。
【００３８】
また、本実施形態の商品コード読取装置１０１で実行されるプログラムは、ＲＯＭ等に予め組み込まれて提供される。本実施形態の商品コード読取装置１０１で実行されるプログラムは、インストール可能な形式又は実行可能な形式のファイルでＣＤ−ＲＯＭ、フレキシブルディスク（ＦＤ）、ＣＤ−Ｒ、ＤＶＤ（Ｄｉｇｉｔａｌ  Ｖｅｒｓａｔｉｌｅ  Ｄｉｓｋ）等のコンピュータで読み取り可能な記録媒体に記録して提供するように構成してもよい。
【００３９】
さらに、本実施形態の商品コード読取装置１０１で実行されるプログラムを、インターネット等のネットワークに接続されたコンピュータ上に格納し、ネットワーク経由でダウンロードさせることにより提供するように構成しても良い。また、本実施形態の商品コード読取装置１０１で実行されるプログラムをインターネット等のネットワーク経由で提供または配布するように構成しても良い。
【００４０】
本実施形態の商品コード読取装置１０１で実行されるプログラムは、上述した各部（撮像画像取込部１６１１、バーコード読取部１６１２、情報出力部１６１３、表示部１６１４）を含むモジュール構成となっており、実際のハードウェアとしてはＣＰＵ（プロセッサ）が上記ＲＯＭからプログラムを読み出して実行することにより上記各部が主記憶装置上にロードされ、撮像画像取込部１６１１、バーコード読取部１６１２、情報出力部１６１３、表示部１６１４が主記憶装置上に生成されるようになっている。
【００４１】
＜変形例＞
ここで、顧客用表示デバイス１０９における表示の変形例について説明する。図７、８は、変形例にかかる表示例を示す概念図である。図７に示すように、顧客用表示デバイス１０９の表示画面において、商品コードを読み取った際のフレーム画像が表示される表示領域Ｇ１の周囲には、ＣＰＵ１６１の制御のもとで上述した関連情報を表示するカレントエリアＧ２ａ、合計エリアＧ２ｂ、明細エリアＧ３ａが配置される。具体的には、表示領域Ｇ１の上側にカレントエリアＧ２ａ、表示領域Ｇ１の下側に合計エリアＧ２ｂ、右側に明細エリアＧ３ａが配置される。なお、カレントエリアＧ２ａ、合計エリアＧ２ｂ、明細エリアＧ３ａの配置は、表示領域Ｇ１の周囲であればよく、図８に示すように、カレントエリアＧ２ａ、合計エリアＧ２ｂをともに表示領域Ｇ１の下側に配置されてよい。また、カレントエリアＧ２ａと、合計エリアＧ２ｂとの配置を、図７に示した配置と逆にしてもよい。また、明細エリアＧ３ａも同様に、表示領域Ｇ１の左側に配置されてよい。
【００４２】
カレントエリアＧ２ａには、バーコード読取部１６１２が直近に読み取った商品コードに対応した商品名、販売点数（数量）、単価等の関連情報が表示される。合計エリアＧ２ｂには、バーコード読取部１６１２が順次読み取った商品コードをもとに、１取引の商品の合計金額や合計点数（数量）等の関連情報を集計した情報が表示される。明細エリアＧ３ａには、バーコード読取部１６１２が順次読み取った商品コードをもとに、１取引として登録された各商品の商品名、販売点数（数量）、単価、販売金額等の関連情報の履歴が一覧表示される。なお、明細エリアＧ３ａにおける履歴の一覧表示は、図示例のように登録順に上から行われるものであってよい。
【００４３】
このように、商品コードを読み取った際のフレーム画像が表示される表示領域Ｇ１の周囲に、読み取った商品コードをもとにした関連情報（商品名、数量、単価、１取引の合計金額、合計点数、１取引として登録された商品の商品名、数量、単価、販売金額等）を配置した表示画面を顧客用表示デバイス１０９に表示することで、ユーザは、商品コードを読み取った際の画像の確認と、その商品コードをもとにした関連情報の確認とを容易に行うことができる。また、１取引として登録された各商品の商品名、販売点数（数量）、単価、販売金額等の関連情報の履歴については、フレーム画像が表示される表示領域Ｇ１の上又は下側ではなく、表示領域Ｇ１の右又は左側に配置された明細エリアＧ３ａに並んで表示されることから、フレーム画像を見ながらの履歴の確認が容易となっている。
【符号の説明】
【００４４】
１  チェックアウトシステム
１１  ＰＯＳ端末
１０１  商品コード読取装置
１０３  読取窓
１０４  表示・操作部
１０９  顧客用表示デバイス
１６０  マイクロコンピュータ
１６１  ＣＰＵ
１６４  撮像部
１６５  音声出力部
１６１１  撮像画像取込部
１６１２  バーコード読取部
１６１３  情報出力部
１６１４  表示部
ＢＣ  バーコード
Ａ  商品
Ｒ  読取領域
Ｇ１、Ｇ２、Ｇ３  表示領域
Ｇ１１  シンボル表示
【先行技術文献】
【特許文献】
【００４５】
【特許文献１】特開２００８−３３６４０公報
【図１】
0005183767.tif 000002
【図２】
0005183767.tif 000003
【図３】
0005183767.tif 000004
【図４】
0005183767.tif 000005
【図５】
0005183767.tif 000006
【図６】
0005183767.tif 000007
【図７】
0005183767.tif 000008
【図８】
0005183767.tif 000009